(57)【要約】【課題】被取付部の照明器具の設置跡を隠すことができ、取付性やメンテナンス性に優れた照明器具を実現する。【解決手段】被取付部Ｍに取り付けられる照明器具１１であって、光源部４１と、前記光源部４１が照射面側に配置される器具本体２１と、第１透光カバー５１と、第２透光カバー８１とを有し、第１透光カバー５１は、着脱可能に器具本体２１に取り付けられ、第２透光カバー８１は、第１透光カバー５１の外周側に配置されて器具本体２１に固定される。【選択図】図２
2017182935.tif 000002
【特許請求の範囲】
【請求項１】
被取付部に取り付けられる照明器具であって、
光源部と、
前記光源部が照射面側に配置される器具本体と、
第１透光カバーと、
第２透光カバーとを有し、
前記第１透光カバーは、着脱可能に前記器具本体に取り付けられ、
前記第２透光カバーは、第１透光カバーの外周側に配置されて前記器具本体に固定される、照明器具。
【請求項２】
前記第１透光カバーと前記第２透光カバーは、その間に隙間と窪みを形成し、
前記隙間の開口近傍に前記窪みを有し、
前記窪みの径方向の長さが前記隙間の径方向の長さよりも長い、請求項１に記載の照明器具。
【請求項３】
前記第１透光カバーと前記第２透光カバーの対向する側面が立壁状である、請求項１または請求項２に記載の照明器具。
【請求項４】
前記第１透光カバー及び前記第２透光カバーの照射面側表面が連続的に形成されている、請求項１から請求項３のいずれか一項に記載の照明器具。
【発明の詳細な説明】
【技術分野】
【０００１】
本発明は、照明器具に関する。
【背景技術】
【０００２】
従来から、住宅内等の天井面に設置される照明器具としてシーリングライトが広く用いられている。例えば、器具の寿命や故障などにより、このようなシーリングライトを取替える場合、設置してあった照明器具の設置跡が天井面に残ってしまう場合が有る。
【０００３】
このとき、天井用壁紙の貼り替えを行うことなく照明器具の設置跡を隠すために、設置していた照明器具よりも大きい照明器具を天井面に設置して設置跡を隠す方法がある。
【０００４】
しかしながら、単純に照明器具を大型化したり、特許文献１に開示される照明器具のようにセードの外周部に化粧枠を設けて照明器具の天井面を覆う面積を増やすと、セードが大型化してしまう。そのため、照明器具の取り付け時や、掃除等でセードを着脱するのが困難となる。すなわち、単にセードを大型化したのでは、照明器具の取付性やメンテナンス性が悪化してしまう。
【先行技術文献】
【特許文献】
【０００５】
【特許文献１】特開２０１３−０７３７３４号公報
【発明の概要】
【発明が解決しようとする課題】
【０００６】
そこで、本発明は、上記課題に鑑みてなされたものであり、被取付部の照明器具の設置跡を隠すことができ、取付性やメンテナンス性に優れた照明器具を実現することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
被取付部に取り付けられる照明器具であって、
光源部と、
前記光源部が照射面側に配置される器具本体と、
第１透光カバーと、
第２透光カバーとを有し、
前記第１透光カバーは、着脱可能に前記器具本体に取り付けられ、
前記第２透光カバーは、第１透光カバーの外周側に配置されて前記器具本体に固定されるものである。
【０００９】
本願に開示する照明器具において、
前記第１透光カバーと前記第２透光カバーは、その間に隙間と窪みを形成し、
前記隙間の開口近傍に前記窪みを有し、
前記窪みの径方向の長さが前記隙間の径方向の長さよりも長いことが好ましい。
【００１０】
本願に開示する照明器具において、
前記第１透光カバーと前記第２透光カバーの対向する側面が立壁状であることが好ましい。
【００１１】
本願に開示する照明器具において、
前記第１透光カバー及び前記第２透光カバーの照射面側表面が連続的に形成されていることが好ましい。
【発明の効果】
【００１２】
本発明によれば、被取付部の照明器具の設置跡を隠すことができ、取付性やメンテナンス性に優れた照明器具を提供することができる。
【図面の簡単な説明】
【００１３】
【図１】本発明の一実施形態に係る照明器具を示す側面図。
【図２】同じく照明器具を示す断面図。
【図３】第１透光カバーを器具本体から取り外した状態の照明器具を示す平面図。
【図４】図３のＡ−Ａ線における断面図。
【図５】図３のＢ−Ｂ線部分における拡大背面図。
【図６】図２のＥ−Ｅ線部分拡大断面図。
【図７】窪みＤの他実施形態を示す拡大断面図。
【発明を実施するための形態】
【００１４】
本発明の実施形態に係る照明器具１１について、図１から図６を用いて説明する。本実施形態に係る照明器具１１は、複数のＬＥＤ素子４２を光源とする照明器具である。図１に示すように、照明器具１１は、天井等の被取付部Ｍに直付けされるシーリングライトである。以下の説明では、照明器具１１の光を照射する側を照明器具１１の照射面側とし、照明器具１１における天井等の被取付部Ｍに対向する側を照明器具１１の取付面側（取付状態では天井側）として説明する。また、照明器具１１の上下方向は、照明器具１１が天井等の被取付部Ｍに設置された状態における上下方向（図１、図２等における上下方向）として説明する。上下方向に直交する方向を径方向として説明する。また、本実施形態の説明において、下方から照明器具１１等を視た状態を平面視とする。上下方向に対して直交方向から照明器具１１等を視た状態を側面視とする。照明器具１１等の断面形状を視た状態を断面視とする。
【００１５】
照明器具１１は、主に器具本体２１、電源部３１、光源部４１、第１透光カバー５１、第２透光カバー８１、化粧枠９０、電源カバー６１、接続部７１、及び保護カバー９１を有している。照明器具１１は、平面視における外形形状が円形である。
【００１６】
器具本体２１は、照明器具１１の本体を構成するものである。器具本体２１は、いわゆるベースやシャーシと呼ばれる部材である。器具本体２１は、平面視における外形輪郭形状が円形である。器具本体２１は、照射面側に電源部３１、電源カバー６１、保護カバー９１、第１透光カバー５１及び第２透光カバー８１等を保持するものである。器具本体２１は、収容部２３、及び該収容部２３の周囲に形成されるセード取付部２８を有し、単一の部材として一体的に形成されている。器具本体２１は、電源部３１、接続部７１、電源カバー６１、保護カバー９１、第１透光カバー５１及び第２透光カバー８１等を保持可能な耐久性や強度と、電源部３１及び光源部４１が発する熱を放熱させるための放熱性とを考慮し、鉄やアルミニウム、またはそれらの合金等の金属材料を用いて形成されている。なお、器具本体２１は、所望の耐久性、強度及び放熱性を確保できる材料であれば、先述した金属材料に限らず、その他の合金材料や樹脂等の他の材料で形成することができる。
なお、本実施形態においては、収容部２３及びセード取付部２８を器具本体２１として一体的に形成しているが、特に限定するものではなく、上記各構成部材を各々組み付けて構成してもよい。
【００１７】
収容部２３は、取付面側に突出する凸部であり、有底容器状の部分である。収容部２３は、器具本体２１の径方向中央部に設けられ、内部に電源部３１及び接続部７１の一端側が収容され、電源部３１及び接続部７１が取り付けられる部分である。接続部７１は、引掛シーリングアダプタ等の配線部品が取り付けられ、該配線部品を介して照明器具１１を天井等の被取付部Ｍ側に配置された配線器具と電気的に接続される。収容部２３は、平面視において外形形状が円形で断面視において上方に向けて凹状であり、取付面側に突出して形成されている。また、収容部２３の内部には、アダプタ等の配線部品を取り付けるための接続部７１が取り付けられる。
【００１８】
収容部２３は、取付孔２４、周縁部２５、天板部２６、周壁部２７を有している。
【００１９】
取付孔２４は、照明器具１１を天井に取り付ける際、引掛シーリングアダプタ等の配線部品（図示せず）を挿通する円形の開口部分である。取付孔２４は、収容部２３の径方向中心となる位置に設けられている。
【００２０】
周縁部２５は、取付孔２４の周縁部分であり、接続部７１の一端（上端）が取り付けられる部分である。周縁部２５は、円環部２５ａ、該円環部２５ａの周囲に形成され、下方に向けて突出する円環状の突状部２５ｂを有している。円環部２５ａは、接続部７１が有する鍔部７３が取り付けられる部分である。接続部７１は、円環部２５ａに固定部材により固定される。突状部２５ｂは、平面視おいて円環状であり、内径が接続部７１の鍔部７３の外形よりもやや大きく、接続部７１を突状部２５ｂの内側に配置することで、接続部７１を位置決めすることができる。
【００２１】
天板部２６は、周縁部２５の周囲に円環状に形成された平坦部分である。天板部２６には、平面視において所定の領域に電源部３１が配置される。
また、天板部２６には、天板部２６の取付面側に緩衝材３０が配置される。緩衝材３０は、天井等に取り付けた照明器具１１のガタツキを防止するためのものである。
【００２２】
周壁部２７は、天板部２６の外周縁から下方に行くに従って拡径されるテーパ状の部分である。
【００２３】
セード取付部２８は、収容部２３の周囲に形成されるとともに器具本体２１の周縁部分である。セード取付部２８には、第１透光カバー５１を保持するための複数（本実施形態では、３つ）のセード保持部２９が設けられている。複数のセード保持部２９は、セード取付部２８に略均等間隔に配置される。
【００２４】
電源部３１は、図２に示すように、電源回路部３２と、該電源回路部３２を収容する電源ケース３５とを有している。電源部３１の一端側は、収容部２３内に収容されて固定される。電源部３１の他端側は電源カバー６１に収容される。
【００２５】
電源回路部３２は、光源部４１が有するＬＥＤ素子４２（図１、図３参照）に給電を行って、ＬＥＤ素子４２を点灯させるための電源回路である。電源回路部３２は、所定形状に加工されたプリント配線基板上に複数の電子部品が実装された電源回路である。電源回路部３２は、外部商用電源から供給される交流電流を所定の直流電流に変換し、変換後の電流を基板４３に実装された複数のＬＥＤ素子４２に供給するためのものである。電源回路部３２は、照明器具用の天井配線器具を介して外部商用電源と電気的に接続される。電源回路部３２と光源部４１は配線によって電気的に接続されている。
【００２６】
電源カバー６１は、電源部３１と接続部７１の照射面側の少なくとも一部を覆う部材である。電源カバー６１は、光源部４１が取り付けられる部材である。電源カバー６１は、器具本体２１が有する収容部２３の照射面側に取り付けられる。また、電源カバー６１の内部には、アダプタ等の配線部品を取り付けるための接続部７１が取り付けられる。電源カバー６１は、開口部６２、内周縁部６３、光源配置部６４、外周縁部６５、周壁部６６、及び鍔部６７を有している。電源カバー６１は、照射面側の頂部に光源配置部６４を有する。
【００２７】
開口部６２は、接続部７１が露出する円形の開口部分である。開口部６２は、電源カバー６１の径方向中心となる位置に設けられている。
【００２８】
内周縁部６３は、開口部６２の周縁部分であり、平面視において円環状である。内周縁部６３の内周近傍部は、接続部７１の他端（下端）が固定部材により取り付けられる部分である。内周縁部６３の内周近傍部には、接続部７１の他端を固定部材により取り付けるためのネジ孔が設けられている。
【００２９】
光源配置部６４は、光源部４１が配置される部分である。光源配置部６４は、平面視において略円環状であり、平坦面を底面とする凹部である。光源配置部６４の平坦面の裏面は、取付面側に突出する突出面である。光源配置部６４は、ＬＥＤ光源モジュール４４の基板４３の外形の少なくとも一部に合わせて形成されており、該ＬＥＤ光源モジュール４４を光源配置部６４内に配置可能である。光源配置部６４は、内周縁部６３の径方向外側に設けられている。
【００３０】
光源配置部６４は、内周縁部６３の外周側の周囲に略円環状に配置されている。光源配置部６４は、複数（本実施形態では４つ）のＬＥＤ光源モジュール４４が所定位置に嵌合可能であり、光源配置部６４が有する平坦面にＬＥＤ光源モジュール４４を当接して取り付けられる。光源配置部６４は、光源部４１で発生した熱を伝えて外部に放出する放熱部としても機能させるため、光源部４１が取り付けられる光源配置部６４は、その底部となる部分が光源部４１との接触面積が広くなるよう平坦に形成されている。
【００３１】
外周縁部６５は、光源配置部６４の径方向外側に設けられている。外周縁部６５には、保護カバー９１が有する爪部９５を嵌合するための複数の貫通孔が設けられている。
【００３２】
周壁部６６は、外周縁部６５の外周縁から下方に行くに従って拡径されるテーパ状の部分である。
【００３３】
鍔部６７は、周壁部６６の下端の外周縁から径方向外側に突出する円環状の部分である。鍔部６７は、電源カバー６１を器具本体２１に取り付けた際に、器具本体２１に当接する部分である。鍔部６７には、複数の固定部が設けられており、ネジなどの固定部材により器具本体２１に取り付けられる。
【００３４】
電源カバー６１は、電源部３１及び接続部７１が取り付けられた器具本体２１の収容部２３を覆うとともに、電源部３１及び接続部７１の他端側（下端側）を電源カバー６１内に収容し、鍔部６７が器具本体２１に当接されて取り付けられる。電源カバー６１が収容部２３の照射面側に取り付けられることで、電源カバー６１と収容部２３により扁平な空間が形成され、該空間に電源部３１、及び接続部７１等を収容するための高さ及び幅が確保されている。
【００３５】
また、電源カバー６１は、光源部４１、接続部７１、及び保護カバー９１等を保持可能な耐久性や強度と、電源部３１及び光源部４１が発する熱を放熱させるための放熱性とを考慮し、鉄やアルミニウム、またはそれらの合金等の金属材料を用いて形成されている。なお、電源カバー６１は、所望の耐久性、強度及び放熱性が確保できる材料であればよい。電源カバー６１は、先述した金属材料に限らず、その他の合金材料や樹脂等の他の材料で形成することができる。
【００３６】
光源部４１は、電源カバー６１の照射面側に配置され、照明器具１１の照射面側に向けて光を出射する部分である。光源部４１は、複数のＬＥＤ素子４２を有し、光源配置部６４の照射面側の表面上に配置される平板状のものである。具体的には、光源部４１は、複数（本実施形態では、４枚）のＬＥＤ光源モジュール４４を有しており、各ＬＥＤ光源モジュール４４は、平板状モジュール基板である基板４３上に複数の点光源であるＬＥＤ素子４２が実装されて構成されている。複数のＬＥＤ素子４２は、電源カバー６１の開口部６２を中心として略同心円状に略等間隔で配置されている。ＬＥＤ光源モジュール４４は、器具本体２１が有するセード保持部２９よりも照射面側の位置に配置される。これにより、第１透光カバー５１にセード保持部２９の影が出にくい。
【００３７】
ＬＥＤ光源モジュール４４が有する基板４３は、図３に示すように、平面視において所定幅を有する略円弧状に形成されている。各ＬＥＤ光源モジュール４４は、各々に対応する配線によって電源部３１と電気的に接続されている。各ＬＥＤ光源モジュール４４は、基板４３の実装面の裏面が各光源配置部６４の光源配置部６４に当接して固定されるため、各ＬＥＤ光源モジュール４４が発熱した際には、ＬＥＤ光源モジュール４４の熱が電源カバー６１や器具本体２１に伝わる。電源カバー６１に伝わった熱は、電源カバー６１の温度よりも周辺温度が低い場合、電源カバー６１周辺の空気へ伝わる。これにより、電源カバー６１に伝わった熱は、電源カバー６１の周囲に放熱される。
なお、各ＬＥＤ光源モジュール４４は、熱伝導性シート（図示せず）や放熱グリスを介して光源配置部６４に取り付けてもよく、これにより、より高い放熱性を得ることができる。
また、本実施形態では、光源として発光素子の一例である表面実装型のＬＥＤ素子を用いたが、光源の種類はＬＥＤ素子に限定されず、例えばＣＯＢ型発光モジュールや有機ＥＬ素子（ＯＬＥＤ）などであっても実現可能である。
【００３８】
［第１透光カバー］
第１透光カバー５１は、器具本体２１及び電源カバー６１の照射面側を覆うように器具本体２１の照射面側に取り付けられ、光源部４１からの光を反射及び拡散させつつ、第１透光カバー５１の外部へ配光する部材である。第１透光カバー５１は、セード等を含むものである。第１透光カバー５１は、透光性を有する乳白色の樹脂素材で形成されている。第１透光カバー５１の全体形状は、有底略円筒状であって、平面視円形状である。第１透光カバー５１は、曲面凸部５２と、段差部５３と、側壁部５４と、湾曲部５５と、上板部５６と、被保持部５７を有している。
【００３９】
曲面凸部５２は、平面視円形状で下面側に緩やかにドーム状に膨らんでいる部分である。
【００４０】
段差部５３は、曲面凸部５２の外周縁部に連設される、断面視略Ｌ字状の部分である。段差部５３は、曲面凸部５２の外周縁部から上方に延出される円筒状の段差壁部５３ａと、該段差壁部５３ａの上端から径方向外側に延出される平面視円環状の段差面部５３ｂとから構成される。
なお、本実施形態では、段差部５３を第１透光カバー５１に設ける構成としているが、特に限定するものではない。段差部５３の代わりに第２透光カバー８１に同様の形状の段差部を設ける構成とすることもできる。また、段差形状ではなく、曲面凸部５２の傾斜よりも急峻な角度の傾斜面を連続して形成してもよい。
また、本実施形態では、段差部５３を第１透光カバー５１の外周縁部に連続して形成したが、特に限定するものではない。間欠的に複数の段差部５３を設けてもよい。
【００４１】
側壁部５４は、段差部５３（段差面部５３ｂ）の外周縁部から上方に延出される円筒状の部分である。側壁部５４は、第２透光カバー８１の内壁部８６に対向する側面が立壁状である。
【００４２】
湾曲部５５は、側壁部５４の上端から延出される湾曲状の部分である。湾曲部５５は、断面視において円弧状で外側に凸状に湾曲した部分である。
【００４３】
上板部５６は、湾曲部５５の内周縁部から延出される平面視円環状の部分である。
【００４４】
被保持部５７は、上板部５６の内周縁部から延出される断面視コ字状であり、セード保持部２９に保持される部分である。被保持部５７は、第１透光カバー５１の上面側の開口縁部に形成され、第１透光カバー５１を器具本体２１が有するセード保持部２９に取り付ける際に係止されて保持される部分である。
【００４５】
第１透光カバー５１は、第１透光カバー５１の内部の清掃や器具本体２１の部品交換等のために器具本体２１に対して着脱可能に取り付けられる構造となっている。なお、本実施形態における第１透光カバー５１の形状は一例である。本実施形態の形状に限らず、平坦な底部を有する円筒状などにすることもできる。
【００４６】
器具本体２１には、第１透光カバー５１の被保持部５７を保持するための取付金具であるセード保持部２９が設けられている。第１透光カバー５１を器具本体２１の取り付け位置となる第２透光カバー８１の内壁部８６の内側空間に配置して第１透光カバー５１の周方向の一方に回動させると、第１透光カバー５１の被保持部５７が器具本体２１のセード保持部２９に保持されて第１透光カバー５１が器具本体２１に取り付けられる。このように、第２透光カバー８１は、第１透光カバー５１を器具本体２１に取り付ける際のガイドの役割を果たす。また、第１透光カバー５１が器具本体２１に取り付けられた状態で第１透光カバー５１を周方向の他方に回動させると、第１透光カバー５１の被保持部５７が器具本体２１のセード保持部２９から外れて、第１透光カバー５１を器具本体２１から取り外すことができる。
【００４７】
［第２透光カバー］
第２透光カバー８１は、第１透光カバー５１の外周側に配置されて天井面等を覆うように器具本体２１の外周側に固定されるカバー部材である。第２透光カバー８１は、第１透光カバー５１から出た光が入射され、当該入射された光を反射及び拡散させつつ、第２透光カバー８１の外部へ配光する部材である。第２透光カバー８１は、セード等を含むものである。第２透光カバー８１は、透光性を有する乳白色の樹脂素材で形成されている。第２透光カバー８１の全体形状は、平面視において円環状であり、断面視において照射面側に凸状である。第２透光カバー８１は、開口部８２、内周縁部８３、屈曲部８４、湾曲部８５、内壁部８６、外面部８７、及び外周縁部８８を有している。
【００４８】
開口部８２は、器具本体２１の取付面側の一部が露出するとともに突出する円形の開口部分である。開口部８２は、第２透光カバー８１の径方向中心となる位置に設けられている。
【００４９】
内周縁部８３は、開口部８２の周縁部分であり、平面視において円環状である。内周縁部８３は、セード取付部２８の上面に当接して固定部材により取り付けられる円環板状の部分である。内周縁部８３には、第２透光カバー８１を固定部材９２により器具本体２１に取り付けるためのネジ孔が設けられている。
【００５０】
屈曲部８４は、内周縁部８３の外周縁部から延出される部分である。屈曲部８４は、取付面側に凸状の屈曲した部分であり、平面視において円環状である。
【００５１】
湾曲部８５は、屈曲部８４の外周縁部から延出される湾曲状の部分である。湾曲部８５は、断面視において円弧状で外側に凸状に湾曲した部分である。湾曲部８５は、第１透光カバー５１の湾曲部５５の外側において、該湾曲部５５と所定間隔を有して位置する部分である。
【００５２】
内壁部８６は、湾曲部８５の下端部から下方に延出される円筒状の部分である。内壁部８６は、第１透光カバー５１の側壁部５４に対向する側面が立壁状である。内壁部８６は、第１透光カバー５１の側壁部５４の外周において、該側壁部５４と所定間隔を有して位置する部分である。
【００５３】
外面部８７は、内壁部８６の下端部から径方向外側に延出されるとともに、上方に行くに従って拡径する平面視円環状の部分である。第１透光カバー５１を器具本体２１に取り付けた状態において、外面部８７はその外周端部が上板部５６と同じかそれ以上に取付面側の位置となるように延出される。これにより、室内にいる使用者が、第２透光カバー８１によって目視できない被取付面Ｍの面積を広くするとともに、照明器具１１の取付面側の部材を見えにくくすることができる。
本実施形態の外面部８７は、外面部８７の照射面側表面（下側面）が第１透光カバー５１の曲面凸部５２の照射面側表面（下側面）から、窪みＤを挟んで、連続するように傾斜して形成されている。これにより、傾斜を有さずに外面部８７を形成した場合よりも、第１透光カバー５１の側壁部５４から出射される光を第２透光カバー８１の外周側へと導きやすくなる。
【００５４】
外周縁部８８は、外面部８７の外周端部から延出される段差状の部分である。外周縁部８８は、取付部材を介して化粧枠９０が取り付けられる部分である。本実施形態では、化粧枠９０を取り付けるために外周縁部８８を設けたが、特に限定するものではない。化粧枠９０を備えない構成の場合には、段差状の外周縁部８８を形成しなくともよい。
【００５５】
また、第２透光カバー８１は、図２、図４に示すように、取付面側に空間Ｓを有している。空間Ｓは、湾曲部８５、内壁部８６、外面部８７、及び外周縁部８８で区画されるとともに取付面側（上面側）が開放された空間である。
なお、本実施形態では、空間Ｓを設ける構成としているが、特に限定するものではない。例えば、空間Ｓの取付面側（上面側）を平面視略円環状の閉塞部材により閉塞して中空形状の透光カバーとして構成することもできる。このように、閉塞部材を設けるとともに、閉塞部材の内周縁部を器具本体２１に取り付ける構成とすることで、内周縁部８３、屈曲部８４、湾曲部８５、及び内壁部８６を省略することができる。例えば、内壁部８６を省略することで、内壁部８６による光の減衰が無くなり、効率的に光を第２透光カバー内に導くことができる。
【００５６】
第１透光カバー５１の側壁部５４と第２透光カバー８１の内壁部８６との間には、隙間Ｃが形成されている。図６に示すように、隙間Ｃを形成する第１透光カバー５１の最下点ｐ１と第２透光カバー８１の最下点ｐ２間の径方向の長さを「隙間Ｃの径方向の長さｄ１」とする。隙間Ｃの照射面側の開口近傍に窪みＤを有する。本実施形態の窪みＤは、第１透光カバー５１の段差部５３と第２透光カバー８１の外面部８７の下端から形成される窪みである。窪みＤを形成する第１透光カバーの最下点ｐ３と第２透光カバーの最下点ｐ４間の径方向の長さを「窪みＤの径方向の長さｄ２」とする。窪みＤの径方向の長さｄ２は、隙間Ｃの径方向の長さｄ１よりも長い。このように構成することで、例えば、第１透光カバー５１を器具本体２１から取り外す際には、使用者が手指の先を窪みＤに差し込むことができる。また、窪みＤに手指の先を差し込むとともに、窪みＤを形成する第１透光カバー５１の表面（本実施形態では段差部５３の表面）に手指を宛がうことができる。そのため、使用者は第１透光カバー５１を容易に回動可能であり、簡単に取り外すことができる。また、使用者が窪みＤを形成する第１透光カバー５１の表面（本実施形態では段差部５３）のみを両手の手指で挟持して回動することもできる。このような窪みＤを隙間Ｃの開口近傍に設けているため、隙間Ｃの径方向の長さｄ１を短くすることができる。この場合、第１透光カバー５１の側壁部５４と第２透光カバー８１の内壁部８６との間が近接する。そのため、第１透光カバー５１の側壁部５４から出射される光を効率的に第２透光カバー８１の内壁部８６へと入射させることができる（図２、図６の点線矢印Ｌ）。隙間Ｃの径方向の長さｄ１は、段差部５３の段差面部５３ｂの径方向の長さ寸法よりも小さいことが好ましい。また、隙間Ｃの径方向の長さｄ１は、第１透光カバー５１が回動可能な間隔であればよい。
また、本実施形態では、窪みＤを形成するために第１透光カバー５１に段差部５３を設けたが、それ以外の形状でもよい。例えば、図７（ａ）のように、第１透光カバー５１の曲面凸部５２の傾斜よりも急峻な角度の傾斜面を連続して形成してもよい。また、図７（ｂ）のように、第１透光カバー５１ではなく、第２透光カバー８１に段差状部分等を設けて窪みＤを形成してもよい。また、図７（ｃ）のように、第１透光カバー５１と第２透光カバー８１の両方に段差状部分等を設けて窪みＤを形成してもよい。
【００５７】
化粧枠９０は、第２透光カバー８１の外周側に取り付けられる円環状の化粧枠である。化粧枠９０は、光透過性を有しない樹脂製である。化粧枠９０は、第２透光カバー８１の外周縁部８８に複数取り付けられる取付部材９３に固定部材９４により取り付けられる。
なお、化粧枠９０は、必須の構成ではなく、化粧枠９０を設けない構成とすることもできる。
【００５８】
接続部７１は、引掛シーリングアダプタ等の配線部品を取り付ける部分である。図２に示すように、接続部７１は、電源カバー６１が有する開口部６２より大径の円筒部７２と、該円筒部７２の一端側（上端側）の外周縁に径方向外側に延出される鍔部７３を有している。接続部７１の鍔部７３は、ネジなどの固定部材により器具本体２１に取り付けられる。
【００５９】
保護カバー９１は、電源カバー６１と第１透光カバー５１との間において、光源部４１を覆う部材である。保護カバー９１は、光源部４１と第１透光カバー５１との間に配置される。保護カバー９１は、透光性を有しており、例えば透光性を有する樹脂素材で形成されている。保護カバー９１は、平面視において略円環状の部材である。
【００６０】
以上説明した本実施形態に係る照明器具１１では、第１透光カバー５１は、着脱可能に器具本体２１に取り付けられる。すなわち、照明器具１１の中央側の第１透光カバー５１が着脱可能に構成されている。このように構成しているため、第１透光カバー５１が大型化せずに照明器具１１の取り付け時や、掃除等で第１透光カバー５１を着脱する際に容易に着脱し易く、照明器具の取付性やメンテナンス性が高くなる。また、第２透光カバー８１は、第１透光カバー５１の外周側に配置されて器具本体２１に固定されている。これにより、器具本体２１を大型化させずに天井面の広い領域を覆うことができる。また、第２透光カバー８１にも第１透光カバー５１から導光した光が回るため、例えば、遮光材のみからなる化粧枠等の枠材よりも広い出射領域を得ることができる。
【００６１】
また、本実施形態の照明器具１１では、第１透光カバー５１と第２透光カバー８１の間に隙間Ｃを有し、該隙間Ｃの照射面側の開口近傍に窪みＤを有している。このように窪みＤを有することで、上述したように、窪みＤに使用者の手指の先を差し入れることができ、第１透光カバー５１を着脱し易くなる。また、隙間Ｃの径方向の長さｄ１を短くすることができ、第１透光カバー５１の側壁部５４と第２透光カバー８１の内壁部８６とを近接させることができる。これにより、第１透光カバー５１の側壁部５４から出射される光を効率的に第２透光カバー８１の内壁部８６へと入射させることができる。
【００６２】
また、本実施形態の照明器具１１では、第１透光カバー５１と第２透光カバー８１の対向する側面となる側壁部５４及び内壁部８６がそれぞれ立壁状である。これにより、第１透光カバー５１の側壁部５４は、傾斜壁状にした場合よりも光源部４１からの距離を確保することができ、より拡散された光を通過させることができる。また、側壁部５４及び内壁部８６が対向配置されるため、第１透光カバー５１の側壁部５４の外部に出た光を第２透光カバー８１の内壁部８６へと導光しやすい（図２、図６の点線矢印Ｌ）。また、第１透光カバー５１を器具本体２１に取り付ける際に、第２透光カバー８１の内壁部８６が第１透光カバー５１を取付位置にガイドするため、第１透光カバー５１を器具本体２１に取り付け易い。
【００６３】
また、本実施形態の照明器具１１では、第１透光カバー５１（曲面凸部５２）及び第２透光カバー８１（外面部８７）の照射側表面が連続的に形成されている。これにより、連続的に形成しない場合に比べて、第１透光カバー５１から第２透光カバー８１へと光を導きやすくなる。また、第１透光カバー５１（曲面凸部５２）及び第２透光カバー８１（外面部８７）の照射側表面が連続的ななだらかな表面となるため、意匠性においても好ましいものとなる。
【００６４】
以上、本発明の実施形態について説明したが、本発明は上記実施例に限定されるものではなく、様々な変更が可能である。例えば、照明器具１１の第２透光カバー８１の外形を丸型としたが、角型やその他の形状としてもよい。
【００６５】
本実施形態の器具本体２１の形状は一例であり、本実施形態の形状に限定されるものではない。例えば、照明器具１１の形状が丸型以外の角型やその他の形状にすることもできる。
【符号の説明】
【００６６】
１１  照明器具
２１  器具本体
４１  光源部
４２  ＬＥＤ素子
４３  基板
４４  ＬＥＤ光源モジュール
５１  第１透光カバー
５３  段差部
８１  第２透光カバー
Ｍ  被取付部
Ｃ  隙間
Ｄ  窪み
ｄ１  隙間Ｃの径方向の長さ（ｐ１-ｐ２間の径方向の長さ）
ｄ２  窪みＤの径方向の長さ（ｐ３-ｐ４間の径方向の長さ）
ｐ１  隙間Ｃを形成する第１透光カバーの最下点
ｐ２  隙間Ｃを形成する第２透光カバーの最下点
ｐ３  窪みＤを形成する第１透光カバーの最下点
ｐ４  窪みＤを形成する第２透光カバーの最下点
【図１】
2017182935.tif 000003
【図２】
2017182935.tif 000004
【図３】
2017182935.tif 000005
【図４】
2017182935.tif 000006
【図５】
2017182935.tif 000007
【図６】
2017182935.tif 000008
【図７】
2017182935.tif 000009